(57)【要約】【課題】内部電源の消耗を抑制すると共に、メインコンデンサの充電を効率的に行う。【解決手段】補助光（白色ＬＥＤ３３１）を点灯した動画撮影中に静止画撮影を行った後において、外部電源装置４００が接続され、且つ補助光点灯中である場合において、メインコンデンサ３０３の充電電圧ＶＣＭが所定の電圧ＶＰＲＷに達するまでの間は、内部電池３０１の昇圧によるメインコンデンサ３０３の充電を禁止すると共に外部電池４０１の昇圧のみによってメインコンデンサ３０３を充電する。そして、充電電圧ＶＣＭが所定の電圧ＶＰＲＷに達したら、内部電池３０１と外部電池４０１とを併用してメインコンデンサ３０３を充電する。【選択図】図８
2013148828.tif 000002
【特許請求の範囲】
【請求項１】
継続発光が可能な発光部と、
メインコンデンサと、
前記メインコンデンサを充電するための内部電源と、
前記メインコンデンサを充電するための外部電源装置を接続する接続手段と、
前記メインコンデンサの充電電圧を検出する検出手段と、
前記接続手段に前記外部電源装置が接続されたか否かを判定する判定手段とを有し、
前記発光部を点灯した動画撮影中に静止画撮影を行った後において、前記判定手段により前記接続手段に前記外部電源装置が接続されていると判定され、且つ前記発光部が点灯中である場合は、前記検出手段により検出される前記メインコンデンサの充電電圧が所定の電圧に達するまでの間は、前記内部電源による前記メインコンデンサの充電を禁止すると共に前記外部電源装置によって前記メインコンデンサを充電し、前記充電電圧が前記所定の電圧に達したら、前記内部電源と前記外部電源装置とを併用して前記メインコンデンサを充電するよう制御する制御手段とを有することを特徴とする発光装置。
【請求項２】
前記内部電源に接続され前記メインコンデンサを充電する昇圧手段を有し、前記所定の電圧は、前記発光部が点灯されるための最低動作保証電圧と前記昇圧手段の中のトランスの巻線比とに基づいて設定されることを特徴とする請求項１記載の発光装置。
【請求項３】
前記トランスの巻線比は２次巻線数／１次巻線数であり、前記所定の電圧は、下記の数式、
所定の電圧≧（２次巻線数／１次巻線数）×（最低動作保証電圧）
によって算出されることを特徴とする請求項２記載のストロボ装置。
【請求項４】
継続発光が可能な発光部と、メインコンデンサと、前記メインコンデンサを充電するための内部電源と、前記メインコンデンサを充電するための外部電源装置を接続する接続手段とを有する発光装置の制御方法であって、
前記メインコンデンサの充電電圧を検出する検出工程と、
前記接続手段に前記外部電源装置が接続されたか否かを判定する判定工程と、
前記発光部を点灯した動画撮影中に静止画撮影を行った後において、前記判定工程により前記接続手段に前記外部電源装置が接続されていると判定され、且つ前記発光部が点灯中である場合は、前記検出工程により検出される前記メインコンデンサの充電電圧が所定の電圧に達するまでの間は、前記内部電源による前記メインコンデンサの充電を禁止すると共に前記外部電源装置によって前記メインコンデンサを充電し、前記充電電圧が前記所定の電圧に達したら、前記内部電源と前記外部電源装置とを併用して前記メインコンデンサを充電するよう制御する制御工程とを有することを特徴とする発光装置の制御方法。
【発明の詳細な説明】
【技術分野】
【０００１】
本発明は、補助光を点灯した動画撮影中に発光装置の発光を伴う静止画撮影を行った場合のストロボ充電の技術に関する。
【背景技術】
【０００２】
近年のカメラは、静止画撮影のみでなく動画撮影ができるものも増えている。静止画撮影の場合には発光装置を閃光発光させて撮影の補助光として用いればよいが動画撮影では補助光として連続発光する必要がある。
【０００３】
そこで、動画撮影時の補助光として白色ＬＥＤ等が光源として用いられている。しかし、これを動画撮影時の補助光として使用するためには、現在の白色ＬＥＤの効率では１ワット（Ｗ）から３ワット（Ｗ）程度の電力を供給しなければならない。
【０００４】
そのため、補助光を使用した動画撮影中に静止画ストロボ撮影を行って、白色ＬＥＤの点灯中に次の静止画ストロボ撮影のためのストロボ充電を行なう必要がある場合に問題が生じる。
【０００５】
ストロボ充電により上述のような大きな電力を内部電源から供給した場合は、内部電源の電源低下により動画撮影の補助光がちらついたり消灯したりすることがある。それを回避するため、電源低下を検知して発光装置への充電電流を少なくしたり一時的に中止したりするような手段が必要となる。このような手段を用いると発光装置の充電時間が延びてしまう。一方、動画撮影中に頻繁に静止画ストロボ撮影を行う場合には、外部電源を使用して発光装置の充電時間を短縮することで使い勝手は向上する。
【０００６】
例えば特許文献１には、閃光装置とモデリングランプに電源を供給する内部電源を備えた装置が開示されている。この装置では、閃光装置またはモデリングランプの何れか一方を外部電源に接続すると同時に内部電源からは遮断する切換手段を設け、プラグ差し込みに連動して切り換える。
【０００７】
また、特許文献２では、昇圧手段、照明手段（フォーカシングランプ）、制御手段、電池消耗状態検出手段と外部電源判別手段を持つ閃光装置が開示される。この装置では、電池が消耗していると検出された時には内部昇圧手段、照明手段の駆動を禁止し、誤動作を防止する。
【０００８】
また、特許文献３には、内部電池による第１の昇圧電圧と外部電源による第２の昇圧電圧を持ち、外部電源が接続された場合には内部電池による昇圧電圧を発光許可電圧よりも高い第３の電圧にするストロボ装置が開示されている。
【先行技術文献】
【特許文献】
【０００９】
【特許文献１】特開昭６１−１６５７３９号公報
【特許文献２】特開２００３−０９８５７７号公報
【特許文献３】特開２００６−０５８４２３号公報
【発明の概要】
【発明が解決しようとする課題】
【００１０】
しかしながら、特許文献１〜３は、補助光を用いた動画撮影中に静止画撮影を行った後に補助光を用いて動画撮影を行いながらストロボ充電を行う際の技術を開示するものではない。ストロボ発光のためのメインコンデンサを内部電源と外部電源とにより充電可能なものにおいて、補助光を点灯した動画撮影中に静止画撮影を行った後に補助光を点灯させつつ効率的にストロボ充電を行うことに関し、改善の余地があった。
【００１１】
本発明は上記従来技術の問題を解決するためになされたものであり、その目的は、内部電源の消耗を抑制すると共に、メインコンデンサの充電を効率的に行うことができる発光装置及びその制御方法を提供することにある。
【課題を解決するための手段】
【００１２】
上記目的を達成するために本発明は、継続発光が可能な発光部と、メインコンデンサと、前記メインコンデンサを充電するための内部電源と、前記メインコンデンサを充電するための外部電源装置を接続する接続手段と、前記メインコンデンサの充電電圧を検出する検出手段と、前記接続手段に前記外部電源装置が接続されたか否かを判定する判定手段とを有し、前記発光部を点灯した動画撮影中に静止画撮影を行った後において、前記判定手段により前記接続手段に前記外部電源装置が接続されていると判定され、且つ前記発光部が点灯中である場合は、前記検出手段により検出される前記メインコンデンサの充電電圧が所定の電圧に達するまでの間は、前記内部電源による前記メインコンデンサの充電を禁止すると共に前記外部電源装置によって前記メインコンデンサを充電し、前記充電電圧が前記所定の電圧に達したら、前記内部電源と前記外部電源装置とを併用して前記メインコンデンサを充電するよう制御する制御手段とを有することを特徴とする。
【発明の効果】
【００１３】
本発明によれば、内部電源の消耗を抑制すると共に、メインコンデンサの充電を効率的に行うことができる。
【図面の簡単な説明】
【００１４】
【図１】本発明の一実施の形態に係る発光装置であるストロボ装置が適用されるカメラシステムの構成図である。
【図２】本カメラシステムの構成を示すブロック図である。
【図３】ストロボ装置及び外部電源装置の詳細な構成を示すブロック図である。
【図４】ストロボ装置の昇圧回路の発振動作を示す図である。
【図５】本カメラシステムで実行される撮影（撮像）処理の手順を示すフローチャートである。
【図６】同撮影（撮像）処理の図５の続きのフローチャートである。
【図７】図６のステップＳ２１２で実行される動画撮影中静止画撮影処理のフローチャートである。
【図８】図７のステップＳ３２０で実行されるストロボ充電処理のフローチャートである。
【図９】外部電源装置の利用の有無によるメインコンデンサの充電電圧と充電時間との関係の一例を示す図である。
【発明を実施するための形態】
【００１５】
以下、本発明の実施の形態を図面を参照して説明する。
【００１６】
図１は、本発明の一実施の形態に係る発光装置であるストロボ装置が適用されるカメラシステムの構成図である。
【００１７】
このカメラシステムは、撮像装置であるカメラ１００に、交換可能なレンズ２００が装着され、さらに、脱着可能なストロボ装置３００、脱着可能な外部電源装置４００が装着されている。ストロボ装置３００と外部電源装置４００とは接続手段である接続コネクタ４０４により接続される。ストロボ装置３００には、発光用の放電管３０７、動画撮影時に補助光を照射する白色ＬＥＤ３３１が備えられる。
【００１８】
図２は、本カメラシステムの構成を示すブロック図である。まず、カメラ１００及びレンズ２００の構成を説明する。
【００１９】
カメラマイコン１０１は、レンズ２００内にあるレンズマイコン２０１と通信し、レンズ２００のズーム位置（焦点距離情報）、現在の距離環位置（被写体距離）の情報を取得することが可能である。カメラマイコン１０１は、レンズ２００と通信可能かどうかで、レンズ２００が装着されているか未装着であるかを判定することができる。
【００２０】
クイックリターンミラー１０４は、露光の際にカメラマイコン１０１の指示で不図示のアクチュエータによりアップダウンする。また、クイックリターンミラー１０４は、ＡＦ光学系に光を導くためハーフミラーで構成され、クイックリターンミラー１０４のミラーアップに連動してサブミラー１１５も退避する。
【００２１】
撮影者はペンタプリズム１１４とファインダ光学系を通してフォーカシングスクリーン１０５を観察することで、レンズ２００を通して得た像のピントや構図の確認が可能となる。シャッター１０３は、カメラマイコン１０１の制御で動作し、撮像素子１０２の露光時間を自由に制御できる。動画撮影時は、クイックリターンミラー１０４が上がった状態で、シャッター１０３が開の状態で、撮像素子１０２が露光されたままの状態となる。
【００２２】
撮像素子１０２は、レンズ２００によって結像された画像を光電変換して電気信号として取り出す。Ａ／Ｄ変換部１０８は、アナログの画像出力信号をデジタル信号に変換する。その際、設定されているＩＳＯ感度に応じた変換を行う。
【００２３】
静止画撮影時は、画像信号処理回路１１０は、デジタル化された画像データに、フィルタ処理、色変換処理、ガンマー／ニー処理を行い、メモリコントローラ１２２に出力する。メモリコントローラ１２２にはバッファメモリ１２１、メモリ１２０が接続されている。
【００２４】
画像信号処理回路１１０には不図示のＤ／Ａ変換部も内蔵されている。撮像素子１０２から入力される映像信号や、メモリコントローラ１２２から逆に入力される画像データをＤ／Ａ変換部によりアナログ信号に変換し、液晶や有機ＥＬ等を用いた表示部１１３に出力することも可能である。これらの機能の切り替えは、カメラマイコン１０１とのデータ交換により行われ、ホワイトバランス情報をカメラマイコン１０１に出力可能である。その情報を基にカメラマイコン１０１はホワイトバランス調整を行う。
【００２５】
また、動画撮影時には、画像信号処理回路１１０から送られてくる画像を一定周期で表示部１１３に表示させる。
【００２６】
画像信号処理回路１１０は、カメラマイコン１０１の指示により、信号処理を行わずにメモリコントローラ１２２を通してメモリ１２０に画像データを保存することも可能である。画像信号処理回路１１０はまた、ＪＰＥＧ等の圧縮処理機能も有する。
【００２７】
連写の場合は、一旦、バッファメモリ１２１に撮影データを格納し、処理時間がある場合には未処理の画像データを読み出し、画像信号処理回路１１０で画像処理や圧縮処理を行い、連写スピードを上げている。
【００２８】
連写枚数は、バッファメモリ１２１の大きさ（容量）に大きく左右される。また、動画撮影準備時は、画像信号処理回路１１０で処理しながら、並行して表示部１１３に表示させる。また、同時に、後述するセンサによりＡＥ，ＡＦの演算制御も行う。動画記録時は、さらに並行して、メモリコントローラ１２２を介してメモリ１２０に動画を記録する。
【００２９】
また、カメラマイコン１０１は、撮影前に設定されているＩＳＯ感度、画像サイズ、画質に応じた画像サイズの予測値データを基に、メモリコントローラ１２２を通してメモリ１２０の容量を確認する。そして、撮影可能残数や動画記録可能な時間を演算し、表示部１１３にそれらの情報を表示させる。
【００３０】
静止画撮影時には、メモリコントローラ１２２は、画像信号処理回路１１０から入力された未処理のデジタル画像データをバッファメモリ１２１に格納し、処理済みのデジタル画像をメモリ１２０に格納する。また逆に、メモリコントローラ１２２は、バッファメモリ１２１やメモリ１２０から画像データを画像信号処理回路１１０に出力する。
【００３１】
図示しないカメラ電源は、各ＩＣや駆動系に必要な電力を供給する。入力部１１２は、カメラマイコン１０１に自身の状態を伝え、カメラマイコン１０１は入力部１１２の変化に応じて各部を制御する。入力部１１２には、図示しないレリーズ釦が含まれる。レリーズ釦の半押し状態で撮影準備等が行われ、レリーズ釦の全押し状態で撮影が行われる。
【００３２】
入力部１１２には、レリーズ釦のほかに、ＩＳＯ設定釦、画像サイズ設定釦、画質設定釦、情報表示釦等、不図示のスイッチが接続されており、各スイッチの状態が検出される。
【００３３】
画像の表示については、カメラマイコン１０１の表示命令に従って、表示部１１３や図示しないファインダ内表示部により行われる。
【００３４】
フォーカス演算に用いるデフォーカス量は、カメラマイコン１０１によりＡＦセンサ１０７の出力を用いて演算される。ＡＦセンサ１０７は、カメラマイコン１０１にデフォーカス情報を出力し、カメラマイコン１０１はそれに基づいてレンズ２００と通信し、レンズ２００内部のレンズ駆動回路２０３を用いてピントを合わせる。
【００３５】
レンズ駆動回路２０３は、例えばステッピングモータによって構成され、レンズマイコン２０１の制御によってレンズ群２０２のフォーカスレンズ位置を変化させることによりピントを合わせる。
【００３６】
ＡＥ（測光）センサ１０６は、フォーカシングスクリーン１０５上を測光し、レンズ２００を通した被写体の輝度を測光する。レンズ２００内の絞り制御回路２０６は、レンズマイコン２０１の制御によってＡＥセンサ１０６による測光値に応じて光学的な絞り２０５を変化させる。
【００３７】
次に、ストロボ装置３００の構成について説明する。
【００３８】
ストロボ装置３００は、各部の動作を制御するストロボマイコン（判定手段、制御手段）３１０と、内部電源である内部電池３０１とを備える。
【００３９】
昇圧回路３０２は、内部電池３０１の電圧を数１００Ｖ（ボルト）に昇圧する昇圧手段であり、ストロボマイコン３１０より基準クロック端子（ＣＨＧ＿ＣＬＫ）、発振開始信号（ＣＨＧ−ＯＮ１）端子からの信号を受けて発振を開始する。
【００４０】
ＰＷＲ回路３３２は、内部電池３０１の電圧を監視するコンパレータを含む制御回路である。ＰＷＲ回路３３２は、電源電池電圧（内部電池３０１の電圧）の低下を検知し、昇圧回路３０２の発振を停止するものである。ＰＷＲ回路３３２はまた、後述するように、動画撮影時に補助光を照射する白色ＬＥＤ３３１を点灯するための補助光制御回路３３０の動作電圧を保証するための回路でもある。
【００４１】
メインコンデンサ３０３は、昇圧回路３０２の出力により充電される。抵抗３０４、３０５は、メインコンデンサ３０３に充電された電圧を分圧する抵抗である。抵抗３０４、３０５の分圧点はストロボマイコン３１０のＡ／Ｄ変換端子（Ａ／Ｄ）に接続され、充電電位を分圧した分圧電圧がＡ／Ｄ変換端子に入力される。これにより、ストロボマイコン３１０は、検出手段として機能する抵抗３０４、３０５により、メインコンデンサ３０３の充電電圧ＶＣＭの把握が可能になっている。
【００４２】
放電管３０７は、静止画撮影時に閃光発光する発光部であり、メインコンデンサ３０３に充電されたエネルギを放電することで光に変換し、その光を被写体に照射する。トリガー回路３０６は、放電管３０７の発光開始時に数Ｋ（キロ）Ｖの電圧を印加させ発光させる既知のトリガー回路であり、ストロボマイコン３１０のＴＲＩＧ端子から信号を受けることで放電管３０７にトリガー電圧を印加する。
【００４３】
放電管３０７の発光の開始、停止は、発光制御部３０８により制御される。発光制御部３０８には、一般的には絶縁ゲート型トランジスタ等が用いられており、放電管３０７は発光時点では導通状態であり、閃光放電を中止する場合に非導通状態として発光を終了する。発光時は、前述したように、トリガー回路３０６の出力電圧が放電管３０７に印加されることで放電管３０７が導通する。このとき、メインコンデンサ３０３の充電エネルギの経路として、メインコンデンサ３０３の高圧側→放電管３０７→発光制御部３０８→メインコンデンサ３０３の低圧側（ＧＮＤ）の放電ループが形成され、放電がされる。
【００４４】
フォトダイオード３４０は、放電管３０７の発光量を受光するセンサとしての役割を果たす。積分回路３０９は、フォトダイオード３４０の受光電流を積分する。積分回路３０９は、放電管３０７の発光に伴い、ストロボマイコン３１０よりＩＮＴ＿ＳＴ端子から信号を受けることで積分を開始する。積分回路３０９の出力はアナログ信号で出力され、コンパレータ３１２の「−端子」とストロボマイコン３１０のＡ／Ｄコンバータ端子ＩＮＴ＿ＡＤ端子とに入力される。コンパレータ３１２の「＋端子」はストロボマイコン３１０内のＤ／Ａコンバータ出力ＩＮＴ＿ＤＡＣ端子に接続される。
【００４５】
ＡＮＤゲート３１１は、２入力ＡＮＤゲートであるとする。コンパレータ３１２の出力はＡＮＤゲート３１１の入力端子に接続される。ＡＮＤゲート３１１のもう一方の入力はストロボマイコン３１０のＦＬ＿ＳＴＡＲＴ端子と接続され、ＡＮＤゲート３１１の出力は発光制御部３０８に入力される。
【００４６】
また、反射傘３１５のほか、ストロボ装置３００の照射角を変更するズーム光学系３１６が備えられる。放電管３０７が組み込まれた反射傘３１５とズーム光学系３１６の距離を適当に変更することにより、被写体への照射ガイドナンバ及び配光を変化させることが可能となる。
【００４７】
ズーム駆動部３１３は、放電管３０７が組み込まれた反射傘３１５を移動させるモータを含み、その駆動はストロボマイコン３１０のＺＯＯＭ端子からの信号により行われる。このズーム駆動量は、レンズマイコン２０１から接続コネクタ１１９、カメラマイコン１０１及び接続コネクタ１３０を介してレンズの焦点距離情報としてストロボマイコン３１０に通信される。
【００４８】
位置検出部３１４は、エンコーダ等で構成され、ズーム光学系３１６のズーム位置を検出する。位置検出部３１４は、ストロボマイコン３１０のＰＯＳＩ端子に移動情報を与え、ストロボマイコン３１０のＺＯＯＭ端子にて必要な駆動量分だけズーム駆動部３１３内のモータを動作させる。
【００４９】
各種入力部３２０は入力インターフェースであり、例えばストロボ装置３００の側面等にスイッチが設置され、手動によりズーム情報を入力することも可能である。
【００５０】
表示部３２１は、ストロボ装置３００の各状態を表示する。白色ＬＥＤ３３１は、上述したように動画撮影時に補助光を照射する継続発光が可能な発光部であり、補助光制御回路３３０により駆動される。白色ＬＥＤ３３１の点灯及び消灯は、ストロボマイコン３１０がＬＥＤ端子を介して補助光制御回路３３０を駆動することで行われる。
【００５１】
次に、外部電源装置４００の構成について説明する。
【００５２】
外部電源装置４００は、接続コネクタ４０４でストロボ装置３００と電気的に接続される。外部電源装置４００は、外部電源である外部電池４０１、昇圧回路４０２、クロック発生回路４０３を備える。昇圧回路４０２は、外部電池４０１の電圧を数１００Ｖに昇圧する。クロック発生回路４０３は、接続コネクタ４０４を介してストロボマイコン３１０より発振開始信号（ＣＨＧ−ＯＮ２）端子からの信号を受けて基準クロックを発生させる。
【００５３】
昇圧回路４０２は、クロック発生回路４０３の信号及びストロボマイコン３１０の発振開始信号（ＣＨＧ−ＯＮ２）端子からの信号を受けて発振を開始する。昇圧回路４０２は、接続コネクタ４０４の端子からストロボ装置３００のダイオード５１７を介してメインコンデンサ３０３を充電する。
【００５４】
この外部電源装置４００は、ストロボ装置３００に対して装着及び取り外しが可能である。ストロボマイコン３１０は、接続コネクタ４０４のチェック用端子（ＣＨＫ）を確認し、接地レベル（ＬＯＷ）を検出することで、外部電源装置４００の装着状態（接続されているか否か）を判定することができる。
【００５５】
図３は、ストロボ装置３００及び外部電源装置４００の詳細な構成を示すブロック図である。ストロボ装置３００において昇圧回路３０２、ＰＷＲ回路３３２については特に詳細に示している。
【００５６】
ストロボ装置３００には、ストロボ装置３００のオン、オフを切り替える電源スイッチ５０１が設けられる。ＰＷＲ回路３３２は、コンパレータ５０２と基準電圧５０３（基準電圧値ＥＰＷＲ）により構成され、コンパレータ５０２の「＋端子」が内部電池３０１に接続されると共に「−端子」が基準電圧５０３に接続される。コンパレータ５０２は、内部電池３０１の電圧が基準電圧５０３より低くなる場合には、ロウ（Ｌｏｗ）レベルの信号を出力する。
【００５７】
昇圧回路３０２において、抵抗５０４、５０５は、ストロボマイコン３１０のハイ（Ｈｉｇｈ）レベルのチャージ開始信号（ＣＨＧ＿ＯＮ１）を受け、抵抗５０５にハイレベルの電位が発生する。２入力のアンドロジック回路５０８，５１０は、共に一端の入力端子が抵抗５０５に接続されている。抵抗５０６，５０７はアンドロジック回路５０８の出力に接続され、これら抵抗の中点がスイッチ素子５１１のゲート端子に接続されている。抵抗５１２，５１３はアンドロジック回路５１０の出力に接続され、これら抵抗の中点がスイッチ素子５１４のゲート端子に接続されている。
【００５８】
インバータ５０９は、その入力端子がアンドロジック回路５０８の入力端子の他端に、出力端子がアンドロジック回路５１０の入力端子の他端に、それぞれ接続されている。
【００５９】
トランス５１５は、１次端子に中間タップを有する。トランス５１５の１次巻線の中間タップが内部電池３０１の正極に接続され、他端がそれぞれスイッチ素子５１１，５１４のドレイン端子に接続されている。トランス５１５の２次巻線は、ダイオードブリッジ５１６の入力端子に図のように接続されている。ダイオードブリッジ５１６の出力はメインコンデンサ３０３の正極に接続されている。ダイオードブリッジ５１６の他端はメインコンデンサ３０３の負極に接続され、トランス５１５の２次出力である交流電流を全波整流しメインコンデンサ３０３を充電している。この構成は、いわゆる、他励プッシュプルフォワードコンバータの構成である。
【００６０】
ダイオード５１７は、外部電源装置４００からの高圧電流をメインコンデンサ３０３に充電するループ内に挿入されている。外部電源装置４００の接続コネクタ４０４の端子が外された場合でも、ダイオード５１７により、メインコンデンサ３０３の充電電荷が接続コネクタ４０４の高圧端子（ＨＶ＿ＩＮ）から放電されないような構成となっている。
【００６１】
外部電源装置４００は、ストロボマイコン３１０から接続コネクタ４０４を介して充電開始信号（ＣＨＧ＿ＯＮ２）を受け、それをクロック発生回路４０３と昇圧回路４０２とに与える。外部電池４０１は、より急速な充電が可能となるよう、内部電池３０１より本数を多くしているが、内部電池３０１と同等の本数としても良い。ここで外部電源装置４００内の昇圧回路４０２は、ストロボ装置３００内の昇圧回路３０２と同等の構成でもよく、本実施の形態では同等回路として扱う。
【００６２】
図４は、ストロボ装置３００の昇圧回路３０２の発振動作を示す図である。
【００６３】
図４において、４−Ａは、ストロボマイコン３１０の基準クロック端子（ＣＨＧ＿ＣＬＫ）から発生する基準クロックであり、一般的には数１０ＫＨｚ程度の周波数である。このクロック信号は、アンドロジック回路５０８の入力に与えられ、またアンドロジック回路５１０の入力にはインバータ５０９を介して位相が反転された波形が与えられる。
【００６４】
４−Ｂは、ストロボマイコン３１０の発振開始信号端子（ＣＨＧ＿ＯＮ１）の出力であり、ハイレベルの信号がアンドロジック回路５０８、５１０の入力に与えられる。そのため、基準クロックに従いアンドロジック回路５０８、５１０の出力がそれぞれ４−Ｄ，４−Ｅに示すように交互に発生する。
【００６５】
４−Ｃは、ＰＷＲ回路３３２の出力波形である。ＰＷＲ回路３３２は白色ＬＥＤ３３１を点灯させるための補助光制御回路３３０の動作電圧を保証するための回路である。白色ＬＥＤ３３１のチラツキや消灯を起こすような電位に低下しないように、昇圧回路３０２を制御している。
【００６６】
４−Ｇは、内部電池３０１の電圧を示している。発振開始時には内部電池３０１の電圧が低下する。仮にＰＷＲ回路がないとした場合には、４−Ｇに破線で示すように電圧が低下する。そこで、ＰＷＲ回路３３２を設け、ＰＷＲ回路３３２により内部電池３０１の電位を検出し、検出した電圧が基準電圧５０３より低下する場合には出力をロウレベルとして抵抗５０５の電位を下げる。そして抵抗５０５に接続されているアンドロジック回路５０８、５１０の入力をロウレベルとしてアンドロジック回路５０８、５１０の出力をロウレベルとする。
【００６７】
アンドロジック回路５０８、５１０の出力がロウレベルとなると、スイッチ素子５１１，５１４のゲートがロウレベルとなり、スイッチ素子５１１，５１４はオフ状態となって内部電池３０１の電圧は復帰する。ＰＷＲ回路３３２内のコンパレータ５０２の出力はハイレベルとなってこれが繰り返される。従って、内部電池３０１の電圧は４−Ｇに実線で示すように、破線まで低下せず基準電圧５０３以上を保つことになる。
【００６８】
このＰＷＲ回路３３２が作動した場合の周波数は、内部電池３０１の電圧の低下及び復帰のスピードに依存しており、４−Ｃ，４−Ｄ，４−Ｅ，４−Ｇに示すように、一般的に基準クロックよりかなり高い周波数で制御される。一般的に数１００ＫＨｚ程度の周波数である。
【００６９】
４−Ｆは、メインコンデンサ３０３に充電される電流を示しており、ＰＷＲ回路３３２がないとした場合は破線に示す電流がメインコンデンサ３０３に流れる。しかし、ＰＷＲ回路３３２を設けたので、その動作により、流れる電流はほぼ実線に示すように低減される。
【００７０】
すなわち、ＰＷＲ回路３３２がないとした場合の電流（Ｉ０）は充電時間（ｔ）により変化し、アンドロジック回路５０８、５１０の切り換わり時点のロス時間を無視すれば、おおよそ下記数式１で示すことができる。
［数１］
Ｉ０＝Ｅｂａｔ／Ｒｌｏｏｐ×ＥＸＰ（−ｔ／（ｎ×ｎ×Ｃ×Ｒｌｏｏｐ））
Ｅｂａｔ；内部電池３０１の電圧
Ｒｌｏｏｐ；電池抵抗を含む充電ループの等価抵抗
ｎ；トランス５１５の巻線比（＝２次巻線数／１次巻線数）
Ｃ；メインコンデンサ３０３の容量
一方、ＰＷＲ回路３３２がある場合の電流（Ｉ１）は、Ｅｂａｔ−Ｒｂａｔ×電流＝ＰＷＲ電圧より、Ｉ１＝（Ｅｂａｔ−ＰＷＲ基準電圧）／Ｒｂａｔとなり、ＰＷＲ回路３３２の電圧及び電池抵抗によりほぼ一定電流に規制される。ここで、Ｒｂａｔは電池抵抗である。
【００７１】
４−Ｆ、４−Ｇでは、簡単のためＰＷＲ回路３３２が無い場合と有る場合とをそれぞれ破線、実線で重ねて示したが、ＰＷＲ回路３３２が作動する場合には充電電流が低下するため充電時間が長くなる。
【００７２】
ＰＷＲ回路３３２が作動する場合の周波数は、前述したように基準クロックに対してかなり高い周波数となるため、スイッチ素子５１１，５１４のＯＮ／ＯＦＦの過渡時のロスは周波数に比例して大きくなり熱として消耗される。
【００７３】
ＰＷＲ回路３３２が作動しなくなる電位に電池電圧が達すると、基準クロックにより発振動作が行われる。ＰＷＲ回路３３２が作動するかしないかの閾値となる基準電圧値をＥＰＷＲとすると、それに対応する、メインコンデンサ３０３側の所定の電圧（ＶＰＷＲ）はｎ＝２次巻線数／１次巻線数とすれば、下記数式２で示される。
［数２］
ＶＰＷＲ＝巻線比ｎ×ＥＰＷＲ
言い換えれば、メインコンデンサ３０３の充電電圧は、トランス５１５の２次電圧にほぼ等しく、トランスの１次電圧両端にはメインコンデンサ３０３の１／ｎ倍の電位が発生する。
【００７４】
例えばトランス５１５の巻線比をｎ＝８０とし、ＰＷＲ回路３３２の基準電圧５０３がＥＰＷＲ＝２．３Ｖであるとする。メインコンデンサ３０３の電位が所定の電圧ＶＰＷＲ＝１８４Ｖ以上となる状態では、昇圧を開始しても内部電池３０１の電圧は２．３Ｖ以下になることはない。
【００７５】
ここでスイッチ素子５１１，５１４の動作抵抗（Ｒｏｎ）は、数ミリΩから数１０ミリΩ程度であるので無視することができる。従って、メインコンデンサ３０３の電位を確認することで、ＰＷＲが掛かるか否か（内部電池３０１の電圧と、ＰＷＲ回路３３２を作動するべき基準電圧値ＥＰＷＲとの上下関係）の判定が可能である。
【００７６】
また、下記数式３として、ＥＰＷＲの巻き線比倍に対してＶＰＷＲ電圧を高く設定して実際のＥＰＷＲ電圧に余裕を持たせる事でも良い。
［数３］
ＶＰＷＲ≧巻線比ｎ×ＥＰＷＲ
そして、昇圧回路３０２の動作によりメインコンデンサ３０３の充電が行われる。メインコンデンサ３０３の電圧は、抵抗３０４，３０５により分圧されストロボマイコン３１０のＡ／Ｄ入力端子により検出される。その検出電圧が所定の電圧ＶＰＷＲに達するとそれ以上に電圧が上昇しないよう一定電圧に保たれる。
【００７７】
図５及び図６は、本カメラシステムで実行される撮影（撮像）処理の手順を示すフローチャートである。本処理は、主にカメラマイコン１０１によって実行される。
【００７８】
まず、カメラマイコン１０１は、ステップＳ１０１でカメラ１００の電源がオフ状態であるか否かを判別し、電源がオンの場合はステップＳ１０２に処理を進める。ステップＳ１０２では、カメラマイコン１０１は、入力部１１２での入力に従って、モード設定等の各種の設定を行う。撮影モード等の設定や動画照明、補助光の使用の可否設定もここで行われる。
【００７９】
ステップＳ１０３では、カメラマイコン１０１は、撮影モードが動画撮影モードであるか静止画撮影モードであるかを判別する。カメラマイコン１０１は、その判別の結果、動画撮影モードが設定されている場合は、図６のフローチャートのステップＳ２０１に処理を進める一方、静止画撮影モードが選択されている場合はステップＳ１０４に処理を進める。
【００８０】
ステップＳ１０４では、カメラマイコン１０１は、ＡＥセンサ１０６を用いて被写体の輝度を測定し、静止画撮影において適正露出を得るためのシャッター速度や絞り値を演算する。ステップＳ１０５では、カメラマイコン１０１は、ＡＦセンサ１０７を用いて被写体のデフォーカスを検知し、静止画撮影用の焦点調整を行う。
【００８１】
ステップＳ１０６では、カメラマイコン１０１は、各種の表示処理を行う。すなわち、カメラマイコン１０１は、ステップＳ１０２で設定した状態や各種の設定状態を表示部１１３に表示させる。カメラマイコン１０１はまた、ステップＳ１０２で設定された、ＩＳＯ感度、画像サイズ、画質に応じた画像サイズの予測値データを基に、メモリコントローラ１２２を通してメモリ１２０の容量を確認する。そして、撮影可能残数を演算して表示部１１３に表示させる。カメラマイコン１０１はさらに、ステップＳ１０５で検出されたピントの状態、ステップＳ１０４で演算されたシャッター速度や絞り値を、表示部１１３に表示させる。
【００８２】
ステップＳ１０７では、カメラマイコン１０１は、入力部１１２内の不図示のレリーズ釦が半押し状態か否かを判別し、半押し状態の場合は処理をステップＳ１０８に進め、全く押されてない状態ではステップＳ１０１に処理を戻す。
【００８３】
カメラマイコン１０１は、ステップＳ１０８で電源オフタイマを更新し、ステップＳ１０９で、レリーズが可能状態であり且つ入力部１１２内の不図示のレリーズ釦が完全に押された（全押し）状態になったか否かを判別する。そして、カメラマイコン１０１は、レリーズ釦が完全に押された状態である場合は、画像を撮影するために、ステップＳ１１０に処理を進め、完全に押されてない場合は処理をステップＳ１０１に戻す。
【００８４】
ステップＳ１１０では、カメラマイコン１０１は、クイックリターンミラー１０４を制御してミラーアップ状態にする。それと共に、レンズ２００のレンズマイコン２０１と通信し、ステップＳ１０４で演算（算出）された絞り値にレンズ２００の絞り制御回路２０６を駆動して絞り２０５を制御する。
【００８５】
ステップＳ１１１では、カメラマイコン１０１は、シャッター１０３により、ステップＳ１０４で演算されたシャッター時間を制御し、撮像素子１０２の画像をＡ／Ｄ変換部１０８に取り込む。ステップＳ１１２では、カメラマイコン１０１は、クイックリターンミラー１０４を制御してミラーダウン状態に戻し、レンズ２００と通信し、絞り制御回路２０６を介して絞り２０５を開放状態に制御する。
【００８６】
ステップＳ１１３では、カメラマイコン１０１は、現在設定されているＩＳＯ値に対するゲイン値をレンズ２００に送り、感度調整して、メモリコントローラ１２２に画像信号を送り、バッファメモリ１２１に画像を一時保存する。
【００８７】
次に、ステップＳ１１４では、カメラマイコン１０１は、画像信号処理回路１１０の出力であるホワイトバランス情報を基に、出力画像が適正な色になるように、画像信号処理回路１１０で用いるＲとＢのゲインを演算する（ＡＷＢデータ取得）。ステップＳ１１５では、カメラマイコン１０１は、バッファメモリ１２１に格納（保存）された未処理の画像を、画像信号処理回路１１０の負荷が画像処理できるレベルであるときに処理し、圧縮してメモリ１２０に格納する動作を開始する。その際、連写等のモードの場合は、メモリ１２０に画像が順次格納される。
【００８８】
次に、ステップＳ１１５の処理後は、図６のステップＳ２１６で、カメラマイコン１０１は、記録枚数判定を行う。ここでは、静止画撮影モード時なら撮影可能枚数、動画撮影モード時なら記録残時間の算出（判定）を行う。続くステップＳ２１７では、カメラマイコン１０１は、表示処理を行う。ここでは、静止画撮影モード時であれば、ステップＳ１１５で処理された画像信号を図示しない液晶駆動回路に送り、表示部１１３に表示させると共に、ステップＳ１０４、Ｓ１０５、Ｓ２１６で決定した撮影情報を表示部１１３に表示させる。ステップＳ２１７ではまた、カメラマイコン１０１は、上記撮影情報を図示しないファインダ内表示部に表示させる。
【００８９】
ステップＳ２１９では、カメラマイコン１０１は、メモリ１２０に記憶可能な領域が存在するかどうかと、バッファメモリ１２１における未処理の画像も考慮した上で、次のレリーズが可能（撮影可能）であるかどうかを判別する。その判別の結果、撮影可能である場合は、カメラマイコン１０１は、処理をステップＳ１０１に戻す一方、撮影可能でない場合はステップＳ２２０に処理を進める。
【００９０】
ステップＳ２２０では、カメラマイコン１０１は、撮影不能状態であると判定された旨の情報を表示部１１３及び図示しないファインダ内表示部に警告表示として表示させ、処理を図５のステップＳ１０１に戻す。
【００９１】
ステップＳ１０１の判別の結果、電源がオフの場合は、カメラマイコン１０１は、ステップＳ１１７で、表示部１１３を消灯すると共に、図示しないファインダ内表示部を消灯する。
【００９２】
次に、ステップＳ１１８で、カメラマイコン１０１は、画像処理と圧縮とメモリ格納がすべて終了し、バッファメモリ１２１の撮影画像領域が空になるのを待つ。そして、ステップＳ１１９で、カメラマイコン１０１は、図示しないカメラ電源に指示を出し、必要の無い電力の供給を停止させ、本処理を終了させる。
【００９３】
図５のステップＳ１０３の判別の結果、動画撮影モードである場合は、カメラマイコン１０１は、図６のフローチャートのステップＳ２０１に処理を進め、クイックリターンミラー１０４を制御してミラーアップ状態にする。続くステップＳ２０２では、カメラマイコン１０１は、シャッター１０３を開として、撮像素子１０２に常に被写体画像が露光されている状態にする。
【００９４】
ステップＳ２０３では、カメラマイコン１０１は、動画撮影用の補助光（以下、補助光とする）を点灯させるように設定がされているかを検出する。そして、補助光を点灯させる設定がされていれば、カメラマイコン１０１は、ステップＳ２０４で、ストロボ装置３００のストロボマイコン３１０と通信し補助光制御回路３３０を介して白色ＬＥＤ３３１を点灯させる。その後、処理をステップＳ２０５に処理を進める。補助光を点灯させる設定がされていない場合は、カメラマイコン１０１は、白色ＬＥＤ３３１を点灯させることなくステップＳ２０５に処理を進める。
【００９５】
ステップＳ２０５では、カメラマイコン１０１は、撮像素子１０２の画像を一定周期でＡ／Ｄ変換部１０８に取り込む。その際、取り込んだ画像を基に画像信号処理回路１１０で動画の表示処理とＡＥ，ＡＦの評価とを行い、カメラマイコン１０１に伝え、ＡＥ（絞る駆動）、ＡＦ（フォーカス駆動）の制御を行う。ステップＳ２０６では、カメラマイコン１０１は、画像信号処理回路１１０から送られてくる画像を一定周期で表示部１１３に表示させる。
【００９６】
ステップＳ２０７では、カメラマイコン１０１は、例えば動画撮影開始釦（不図示）が押されたか否かを検出することで、動画撮影開始の操作がされたか否かを判別する。その判別の結果、動画撮影開始の操作がされていない場合は処理をステップＳ２０２に戻し、動画撮影開始釦が押されるのを待つ。一方、動画撮影開始の操作がされた場合は、処理をステップＳ２０８に進める。
【００９７】
ステップＳ２０８では、カメラマイコン１０１は、撮像素子１０２の画像を一定周期でＡ／Ｄ変換部１０８に取り込む。その際、取り込んだ画像を基に、画像信号処理回路１１０で動画の表示処理とＡＥ，ＡＦの評価を行い、カメラマイコン１０１に伝え、ＡＥ（絞る駆動）、ＡＦ（フォーカス駆動）の制御を行う。
【００９８】
ステップＳ２０９では、カメラマイコン１０１は、画像信号処理回路１１０から送られてくる画像を一定周期で表示部１１３に表示させる。ステップＳ２１０では、カメラマイコン１０１は、ステップＳ２０９の処理と並行して、動画処理された画像をメモリコントローラ１２２を通してメモリ１２０に記録する。
【００９９】
ステップＳ２１１では、カメラマイコン１０１は、動画撮影中に静止画撮影が行われる状態となったか否かを判別する。例えば、レリーズ釦の半押しが入力された場合に静止画撮影が行われる状態となったと判別し、その場合は、ステップＳ２１２で、後述する図７の動画中静止画撮影処理を実行する。一方、カメラマイコン１０１は、レリーズ釦の入力が無い場合には処理をステップＳ２１３に進める。
【０１００】
ステップＳ２１３では、カメラマイコン１０１は、例えば不図示の動画撮影終了釦が押されたかを検出することで、動画撮影終了の操作がされたか否かを判別する。その判別の結果、カメラマイコン１０１は、動画撮影終了でない場合は処理をステップＳ２０８に戻す一方、動画撮影終了の場合は処理をステップＳ２１４に進める。
【０１０１】
ステップＳ２１４では、カメラマイコン１０１は、シャッター１０３を閉じ後幕走行及びミラー制御を行う。ステップＳ２１５では、カメラマイコン１０１は、ストロボマイコン３１０と通信し、ストロボマイコン３１０に、補助光制御回路３３０に白色ＬＥＤ３３１を消灯する制御を行わせる。その後、カメラマイコン１０１は、処理をステップＳ２１６に進める。ステップＳ２１６以降の処理は前述のとおりである。
【０１０２】
図７は、図６のステップＳ２１２で実行される動画撮影中静止画撮影処理のフローチャートである。
【０１０３】
ステップＳ３０１では、カメラマイコン１０１は、静止画に白色ＬＥＤ３３１の光が写り込まないよう、白色ＬＥＤ３３１が点灯している場合には白色ＬＥＤ３３１を消灯する。
【０１０４】
ステップＳ３０２では、カメラマイコン１０１は、シャッター１０３を閉じる。この場合、先幕が先行しているため、後幕を解除して再度先幕とともにチャージする構成でも良い。ステップＳ３０３では、カメラマイコン１０１は、クイックリターンミラー１０４を制御してミラーアップ状態にする。
【０１０５】
ステップＳ３０４〜Ｓ３０６では、カメラマイコン１０１は、図５のステップＳ１０４〜Ｓ１０６と同様の処理を実行する。また、ステップＳ３０７〜Ｓ３１３では、カメラマイコン１０１は、図５のステップＳ１０９〜Ｓ１１５と同様の処理を実行する。ステップＳ３０９においては、カメラマイコン１０１は、必要があればストロボ装置３００の発光を行わせる。ステップＳ３０７の判別の結果、入力部１１２内の不図示のレリーズ釦が完全に押されてない場合は、カメラマイコン１０１は、動画中静止画撮影処理を終了させて図６のステップＳ２１１に処理を戻す。
【０１０６】
また、ステップＳ３１４、Ｓ３１５では、カメラマイコン１０１は、図６のステップＳ２１６、Ｓ２１７と同様の処理を実行する。ステップＳ３１６、Ｓ３１７では、カメラマイコン１０１は、図６のステップＳ２１９、Ｓ２２０と同様の処理を実行する。
【０１０７】
ステップＳ３１６の判別の結果、撮影可能でない場合は、カメラマイコン１０１は、ステップＳ３１８に処理を進める。また、ステップＳ３１７の処理後は、カメラマイコン１０１は、処理をステップＳ３１８に処理を進める。
【０１０８】
ステップＳ３１８では、カメラマイコン１０１は、補助光を点灯させるように設定がされているかを検出する。補助光を点灯させる設定がされていれば、ステップＳ３１９で、ストロボ装置３００のストロボマイコン３１０と通信し補助光制御回路３３０を介して白色ＬＥＤ３３１を点灯させる。その後、ステップＳ３２０に処理を進める。補助光を点灯させる設定がされていない場合は、カメラマイコン１０１は、白色ＬＥＤ３３１を点灯させることなくステップＳ３２０に処理を進める。
【０１０９】
ステップＳ３２０では、カメラマイコン１０１は、後述する図８のストロボ充電処理を実行する。この処理では、ストロボ装置３００においてメインコンデンサ３０３の充電が必要であれば充電が開始され、カメラマイコン１０１は、動画中静止画撮影処理が終了した後は図６のステップＳ２１１に処理を戻す。
【０１１０】
図８は、図７のステップＳ３２０で実行されるストロボ充電処理のフローチャートである。ストロボの充電は、ストロボ装置３００だけでなく外部電源装置４００との間の処理を介して行われ、主にストロボマイコン３１０によって処理が実行される。
【０１１１】
まず、ステップＳ４０１では、ストロボマイコン３１０は、外部電源装置４００が接続されているか否かを判別する。これは、接続コネクタ４０４の端子（ＣＨＫ）がロウレベルか否で判別でき、ロウレベルであれば外部電源装置４００が接続されていると判別する。ここでは端子（ＣＨＫ）がマイコン内部でプルアップされているとしている。
【０１１２】
その判別の結果、外部電源装置４００が接続されている場合は、ストロボマイコン３１０は、ステップＳ４０２に処理を進め、白色ＬＥＤ３３１が点灯しているか否かを判別する。白色ＬＥＤ３３１が点灯中であれば、ストロボマイコン３１０は、ステップＳ４０５に処理を進める。
【０１１３】
ステップＳ４０５では、ストロボマイコン３１０は、抵抗３０４、３０５の分圧電位をストロボマイコン３１０のＡ／Ｄ端子で読み取ることでメインコンデンサ３０３の充電電圧ＶＣＭを検出する。さらに充電電圧ＶＣＭが所定の電圧ＶＰＷＲより小さいか（ＶＣＭ＜ＶＰＷＲが成立するか）否かを判別する。
【０１１４】
ここでＰＷＲ回路３３２は基準電圧５０３により補助光制御回路３３０が動作するためのほぼ最低動作保証電圧（＝ＥＰＷＲ）に設定されている。補助光点灯中に昇圧回路３０２の駆動で基準電圧５０３以下に低下する場合にはコンパレータ５０２の出力がロウレベルとなる。アンドロジック回路５０８、５１０の入力がロウレベルになるため、前述のようにストロボマイコン３１０は、スイッチ素子５１１，５１４の動作を停止させる。すると、昇圧回路３０２の昇圧動作が禁止されるため、補助光制御回路３３０の最低動作保証電圧（＝ＥＰＷＲ）以下に低下することはない。
【０１１５】
このＰＷＲ回路３３２が作動するときのメインコンデンサ３０３の電位は、上記数式２で示したように、基準電圧値ＥＰＷＲのほぼ巻線比ｎ倍である電圧値（所定の電圧ＶＰＷＲ）に相当する。
【０１１６】
ステップＳ４０５の判別の結果、ＶＣＭ＜ＶＰＷＲであれば、ストロボマイコン３１０は、ステップＳ４０６で、制御端子（ＣＨＧ＿ＯＮ１）の信号をロウレベルとし、内部電池３０１の昇圧を行う昇圧回路３０２の動作を禁止する。これにより、内部電池３０１によるメインコンデンサ３０３の充電が禁止される。
【０１１７】
次にステップＳ４０７では、ストロボマイコン３１０は、接続コネクタ４０４の発振開始信号（ＣＨＧ＿ＯＮ２）を与え、クロック発生回路４０３から発生するクロック信号により昇圧回路４０２の昇圧を行う。これにより、外部電池４０１によるメインコンデンサ３０３の充電が行われる。すなわち、昇圧回路４０２の昇圧電圧は、接続コネクタ４０４の高圧端子（ＨＶ＿ＩＮ）からダイオード５１７を介してメインコンデンサ３０３に充電される。
【０１１８】
そしてステップＳ４０５〜Ｓ４０７の処理を繰り返すことで、メインコンデンサ３０３の充電電圧ＶＣＭが所定の電圧ＶＰＷＲに達するまで、外部電源装置４００のみによる外部電池４０１の昇圧、メインコンデンサ３０３の充電がなされる。
【０１１９】
メインコンデンサ３０３の充電が行われ、やがてステップＳ４０５で、ＶＣＭ≧ＶＰＷＲが成立すると、ストロボマイコン３１０は、ステップＳ４０８に処理を進める。ステップＳ４０８では、ストロボマイコン３１０は、制御端子（ＣＨＧ＿ＯＮ１）の信号をハイレベルとして内部電池３０１の昇圧を行う。それに続き、ステップＳ４０９で、ストロボマイコン３１０は、接続コネクタ４０４の発振開始信号（ＣＨＧ＿ＯＮ２）を与え、クロック発生回路４０３から発生するクロック信号により昇圧回路４０２の昇圧を行う。これにより、充電電圧ＶＣＭが所定の電圧ＶＰＷＲに達した後は、内部電池３０１と外部電池４０１とを併用してメインコンデンサ３０３を充電するよう制御される。
【０１２０】
ステップＳ４１０では、ストロボマイコン３１０は、メインコンデンサ３０３の充電電圧ＶＣＭがストロボ装置３００の発光可能電位Ｖ＿ＲＥＡＤＹを超えた（ＶＣＭ＞Ｖ＿ＲＥＡＤＹが成立する）か否かを判別する。そして、ＶＣＭ＞Ｖ＿ＲＥＡＤＹとなるまでステップＳ４０５に戻る処理が繰り返される。これにより、内部電池３０１と外部電池４０１とを併用したメインコンデンサ３０３の充電が継続する。そして、やがてＶＣＭ＞Ｖ＿ＲＥＡＤＹが成立すると、ストロボ装置３００が発光可能になったので、ストロボマイコン３１０は、処理をステップＳ４１１に進める。
【０１２１】
ステップＳ４１１では、ストロボマイコン３１０は、充電完了の表示を表示部３２１に表示させる。次に、ステップＳ４１２では、ストロボマイコン３１０は、メインコンデンサ３０３の充電電圧ＶＣＭがストロボ装置３００のフル充電電位Ｖ＿ＲＥＧを超えた（ＶＣＭ＞Ｖ＿ＲＥＧが成立する）か否かを判別する。
【０１２２】
その判別の結果、ＶＣＭ＞Ｖ＿ＲＥＧが成立するまで、ストロボマイコン３１０は、ステップＳ４１４、Ｓ４１２の処理を繰り返し、メインコンデンサ３０３の充電を継続する。やがて充電電圧ＶＣＭがフル充電電位Ｖ＿ＲＥＧに達すると、ストロボマイコン３１０は、処理をステップＳ４１３に進め、充電を完了して本処理を終了させる。
【０１２３】
ステップＳ４０１で、ストロボマイコン３１０は、接続コネクタ４０４の端子（ＣＨＫ）がハイレベルであり外部電源装置４００が接続されていないと判別されると、ステップＳ４０３に処理を進める。この場合のステップＳ４０３では、ストロボマイコン３１０は、ストロボ装置３００の昇圧回路３０２を動作させる通常充電を行わせる。一方、ステップＳ４０１で外部電源装置４００が接続されていると判別され、且つステップＳ４０２で補助光点灯中でないと判別された場合のステップＳ４０３では、ストロボマイコン３１０は、昇圧回路４０２、３０２を共に動作させる通常充電を行わせる。
【０１２４】
ステップＳ４０３の処理後は、ステップＳ４０４で、ストロボマイコン３１０は、メインコンデンサ３０３の充電電圧ＶＣＭがストロボ装置３００の発光可能電位Ｖ＿ＲＥＡＤＹを超えた（ＶＣＭ＞Ｖ＿ＲＥＡＤＹが成立する）か否かを判別する。そして、ＶＣＭ＞Ｖ＿ＲＥＡＤＹとなるまでステップＳ４０３に戻る処理が繰り返される。やがてＶＣＭ＞Ｖ＿ＲＥＡＤＹとなると、ストロボマイコン３１０は、処理をステップＳ４１１に進める。
【０１２５】
図９は、外部電源装置４００の利用の有無によるメインコンデンサ３０３の充電電圧ＶＣＭと充電時間との関係の一例を示す図である。
【０１２６】
同図において、破線は、白色ＬＥＤ３３１を点灯しつつ、内部電池３０１のみでメインコンデンサ３０３を充電した場合を示す。実線は、図８のストロボ充電処理により、白色ＬＥＤ３３１を点灯しつつ内部電池３０１と外部電源装置４００とを充電電圧ＶＣＭに応じて併用した場合を示している。ここでは、メインコンデンサ３０３の所定の電圧ＶＰＷＲを１８４Ｖとし、フル充電電圧Ｖ＿ＲＥＧを３３０Ｖとしている。
【０１２７】
実線に示す制御では、充電電圧ＶＣＭが１８４Ｖに達するまでは外部電源装置４００のみでメインコンデンサ３０３を充電し、１８４Ｖに達したら内部電池３０１及び外部電池４０１を併用して充電している。これは、外部電源装置４００を使用して補助光を点灯させてストロボ充電を行った場合に相当する。外部電源装置４００の使用により急速充電が行われ充電時間が速くなっている。
【０１２８】
一方、破線に示す制御では、内部電池３０１のみの昇圧で充電電圧ＶＣＭが１８４Ｖに達するまではＰＷＲ回路３３２が作動し、１８４Ｖに達したらＰＷＲが掛からない充電状態となっている。これは、外部電源装置４００を使用せず補助光を点灯させてストロボ充電を行った場合に相当する。
【０１２９】
以上説明したように、白色ＬＥＤ３３１を点灯している状態でストロボ発光用の昇圧回路３０２を駆動すると、白色ＬＥＤ３３１の点灯を保証する最低動作保証電圧（＝ＥＰＷＲ）以上を確保するために、ＰＷＲ回路３３２が作動する。
【０１３０】
ＰＷＲ回路３３２の作動時は高い周波数でスイッチ素子５１１，５１４がオン／オフを行うためスイッチロスが増え、効率の低い充電が行われる。従って、内部電池３０１の無駄な消耗やスイッチ素子の発熱等の問題が発生する。
【０１３１】
特に外部電源装置４００を使用する場合は内部電池３０１の消耗はストロボ装置３００の作動に影響し、外部電源装置４００の外部電池４０１に残容量があっても使用できなくなくなるおそれもある。
【０１３２】
そこで本実施の形態では、効率の低いＰＷＲ回路３３２が作動する状態では外部電源装置４００のみによる充電を行うことで内部電池３０１のスイッチロスによる非効率的な消耗を防いでいる。そして、効率的な内部電池３０１の消費とメインコンデンサ３０３の急速充電とを可能にしている。
【０１３３】
本実施の形態によれば、補助光を点灯した動画撮影中に静止画撮影を行った後において、外部電源装置４００が接続され、且つ補助光点灯中である場合は、ストロボマイコン３１０は次のように処理する。すなわち、充電電圧ＶＣＭが所定の電圧ＶＰＲＷに達するまでの間は、内部電池３０１の昇圧によるメインコンデンサ３０３の充電を禁止すると共に外部電池４０１の昇圧のみによってメインコンデンサ３０３を充電する。そして、充電電圧ＶＣＭが所定の電圧ＶＰＲＷに達したら、内部電池３０１と外部電池４０１とを併用してメインコンデンサ３０３を充電する。
【０１３４】
これにより、内部電池３０１の消耗を抑制すると共に、メインコンデンサ３０３の充電を効率的に行うことができる。
【０１３５】
また、所定の電圧ＶＰＲＷは、補助光制御回路３３０が動作し白色ＬＥＤ３３１が点灯されるための最低動作保証電圧（＝ＥＰＷＲ）と昇圧回路３０２の中のトランス５１５の巻線比ｎとに基づいて設定される（上記数式２）。これにより、所定の電圧ＶＰＲＷを、充電効率が最も高くなるような閾値とすることができる。
【０１３６】
また、充電電圧ＶＣＭを、メインコンデンサ３０３に充電された電圧を分圧する抵抗３０４，３０５により検出するので、単純な構成で済む。
【０１３７】
なお、所定の電圧ＶＰＷＲは、上記数式２により算出される値に設定すれば最も効率が高くなるが、その算出値と同値に設定することは必須でなく、ほぼ一致させればよい。
【０１３８】
なお、外部電源装置４００の接続の有無を、接続コネクタ４０４の端子（ＣＨＫ）で行ったが、この構成に限るものではない。例えば、接続コネクタ４０４の昇圧端子（ＣＨＧ＿ＯＮ２）に短い所定時間の信号を与え昇圧を行い、その際のメインコンデンサ３０３の充電電圧の上昇の有無から外部電源装置４００の接続有無を判別しても良い。
【０１３９】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【０１４０】
３０１  内部電池
３０２  昇圧回路
３０３  メインコンデンサ
３０４、３０５  抵抗
３１０  ストロボマイコン
３３１  白色ＬＥＤ
４００  外部電源装置
４０４  接続コネクタ
５１５  トランス
【図１】
2013148828.tif 000003
【図２】
2013148828.tif 000004
【図３】
2013148828.tif 000005
【図４】
2013148828.tif 000006
【図５】
2013148828.tif 000007
【図６】
2013148828.tif 000008
【図７】
2013148828.tif 000009
【図８】
2013148828.tif 000010
【図９】
2013148828.tif 000011